(57)【要約】【課題】  梱包重量が軽く、貯蔵庫を取り出しやすく、さらに梱包後が取り扱い易い貯蔵庫梱包用パレットにすることを課題とする。【解決手段】  貯蔵庫梱包用パレット（Ａ）は貯蔵庫（Ｂ）のキャスタ（５）の外側の底部（６）を支持する一対の底部支持部材（１０）と、一方の底部支持部材（１０）の端部と対向する他方の底部（４）の端部とを締結部材（１２）で着脱自在に連結する一対の連結部材（１１）とから構成し、貯蔵庫（Ｂ）を貯蔵庫梱包用パレット（Ａ）に載置したとき、底部支持部材（１０）はキャスタ（５）の接地部が地面（Ｕ）から離れる高さ位置（Ｓ）で前記貯蔵庫（Ｂ）の底部（４）を支持する構成とし、連結部材（１１）はキャスタ（５）の接地部より低い位置を通過して底部支持部材（１０）と連結するする。【選択図】図４
2006273416.tif 000002
【特許請求の範囲】
【請求項１】
重量物（Ｂ）を載置するパレット（Ａ）において、パレット（Ａ）は重量物（Ｂ）の底部（４）を支持する一対の底部支持部材（１０）と、一方の底部支持部材（１０）と他方の底部支持部材（１０）とを着脱自在に連結した連結部材（１１）とから構成したことを特徴とするパレット。
【請求項２】
前記重量物（Ｂ）の底部（４）には複数個のキャスタ（５）を底部（４）に取り付け、重量物（Ｂ）をパレット（Ａ）に載置したとき、底部支持部材（１０）はキャスタ（５）の接地部が地面（Ｕ）から離れる高さ位置で前記重量物（Ｂ）の底部（４）を支持し、前記連結部材（１１）はキャスタ（５）の接地部の高さ位置（Ｓ）より低い位置を通過して底部支持部材（１０）と連結したことを特徴とする請求項１記載のパレット。
【請求項３】
前記重量物（Ｂ）の底部（４）には重量物（Ｂ）の設置位置を固定する複数の設置位置固定部材（６）を設け、前記底部支持部材（１０）には前記パレット（Ａ）に載置された重量物（Ｂ）の載置位置が前後方向或いは左右方向に移動することを阻止する移動阻止部材（１０ｈ，１０ｃ）を設け、移動阻止部材（１０ｈ，１０ｃ）は前後方向への移動を阻止する前後移動阻止部材（１０ｃ）と左右方向への移動を阻止する左右移動阻止部材（１０ｈ）とからなり、前後移動阻止部材（１０ｃ）と左右移動阻止部材（１０ｈ）は設置位置固定部材（６）の前後或いは左右移動をそれぞれ規制することを特徴とする請求項２記載のパレット。
【発明の詳細な説明】
【技術分野】
【０００１】
本発明は、重量物を載置するパレットに関する。
【背景技術】
【０００２】
重量物を載置するパレットの技術が例えば特許文献１に開示されている。
【特許文献１】特開平２０００−１６８７７６号公報
【発明の開示】
【発明が解決しようとする課題】
【０００３】
上記公報においてはフォークリフトやクレーンで重量物を持ち上げてパレットを取る必要がある。
本発明は重量物を載置したパレットを作業者の手で取ることができるパレットにすることを課題とする。
【課題を解決するための手段】
【０００４】
本発明は、上記課題を解決するために次の技術的手段を用いる。
すなわち、請求項１記載の発明においては、重量物（Ｂ）を載置するパレット（Ａ）において、パレット（Ａ）は重量物（Ｂ）の底部（４）を支持する一対の底部支持部材（１０）と、一方の底部支持部材（１０）と他方の底部支持部材（１０）とを着脱自在に連結した連結部材（１１）とから構成したことを特徴とするパレットとする。
【０００５】
請求項２記載の発明においては、前記重量物（Ｂ）の底部（４）には複数個のキャスタ（５）を底部（４）に取り付け、重量物（Ｂ）をパレット（Ａ）に載置したとき、底部支持部材（１０）はキャスタ（５）の接地部が地面（Ｕ）から離れる高さ位置（Ｓ）で前記重量物（Ｂ）の底部（４）を支持し、前記連結部材（１１）はキャスタ（５）の接地部の高さ位置より低い位置を通過して底部支持部材（１０）と連結したことを特徴とする請求項１記載のパレットとする。
【０００６】
請求項３記載の発明においては、前記重量物（Ｂ）の底部（４）には重量物（Ｂ）の設置位置を固定する複数の設置位置固定部材（６）を設け、前記底部支持部材（１０）には前記パレット（Ａ）に載置された重量物（Ｂ）の載置位置が前後方向或いは左右方向に移動することを阻止する移動阻止部材（１０ｈ，１０ｃ）を設け、移動阻止部材（１０ｈ，１０ｃ）は前後方向への移動を阻止する前後移動阻止部材（１０ｃ）と左右方向への移動を阻止する左右移動阻止部材（１０ｈ）とからなり、前後移動阻止部材（１０ｃ）と左右移動阻止部材（１０ｈ）は設置位置固定部材（６）の前後或いは左右移動をそれぞれ規制することを特徴とする請求項２記載のパレットとする。
【発明の効果】
【０００７】
請求項１記載の発明によると  パレット（Ａ）は重量物（Ｂ）の底部（４）を支持する一対の底部支持部材（１０）と、一方の底部支持部材（１０）と他方の底部支持部材（１０）とを着脱自在に連結した連結部材（１１）で構成されるため  パレット（Ａ）の構成は底部支持部材（１０）と連結部材（１１）だけのため従来のパレットと比較しても軽量、かつ簡単な構成にすることができる。また、連結部材（１１）を外すだけでパレット（Ａ）を外すことができるので人出で外すことができる。
請求項２記載の発明においては、一対の底部支持部材（１０）を連結部材（１１）で連結した状態で重量物（Ｂ）を載置する。一対の底部支持部材（１０）は重量物（Ｂ）の底部（４）をそれぞれ支持する。すると、重量物（Ｂ）はキャスタ（５）が地面（Ｕ）から離れた状態で底部支持部材（１０）に載置された状態になる。
【０００８】
そのとき、連結部材（１１）はキャスタ（５）の接地部より下方を通過する位置に備えているため、連結部材（１１）を外すときにキャスタ（５）が邪魔することなくそのまま取り外すことができるため、作業が簡単である。また、連結部材（１１）を取り外した時、重量物（Ｂ）の底部（４）は底部支持部材（１０）に載置された状態のままのため、重量物（Ｂ）がキャスタ（５）で動き出すことが無いため、作業が安全である。
【０００９】
請求項３記載の発明においては、  パレット（Ａ）に載置した重量物（Ｂ）が輸送等で左右或いは前後方向に移動しようとすると、設置固定部材（６）が移動阻止手段（１０ｈ，１０ｃ）に移動を阻止される。そのため、重量物（Ｂ）の載置位置を安定させることができる。
【発明を実施するための最良の形態】
【００１０】
本発明の実施の形態について、袋詰めの穀類を収納する農産物用貯蔵庫Ｂを例に説明する。なお、この実施例では農産物用貯蔵庫Ｂの扉３側を前と記載する。
図１は梱包用パレットＡに農産物用貯蔵庫Ｂを載置した状態を示す正面図である。農産物用貯蔵庫Ｂは穀類袋１等を収納する収納室２、正面側には開閉扉３を備え、また、底部４には農産物用貯蔵庫Ｂを移動させる時に使用するキャスタ５と農産物用貯蔵庫Ｂを設置位置に固定させる時に使用するレベルボルト６をそれぞれ複数設けている。本実施例ではキャスタ５は四隅にそれぞれ設け、レベルボルト６は四隅のレベルボルト６ｂと農産物用貯蔵庫Ｂの左右方向中間の前後端６ａにそれぞれ設けている。農産物用貯蔵庫Ｂはキャスタ５とレベルボルト６が地面Ｕから離れた状態で梱包用パレットＡに載置されている。
【００１１】
図４は梱包用パレットＡの斜視図で、梱包用パレットＡは一対の底部支持部材１０と一対の連結部材１１とから構成している。底部支持部材１０は基板１０ａと農産物用貯蔵庫Ｂの底部4の前後端部の支持面となる支持板１０ｂと、支持板１０ｂを基板１０ａ上に取り付ける立板１０ｃ，１０ｈとから形成されている。基板１０ａと連結部材１１の両端部には連結部材１１と底部支持部材１０とを取付ボルト１２で連結するための連結用穴１０ｄ，１０ｅを形成している。そして、底部支持部材１０は支持板１０ｂより基板１０ａを左右方向に長く形成しており、連結用穴１０ｄの上方は開放されている構成である。
【００１２】
なお、本実施例の底部支持部材１０は２枚の支持板１０ｂ間に空間部１０ｇを形成している。立板１０ｃ，１０ｈの長手面は、空間部１０ｇを形成する内側の立板１０ｈを左右方向に、外側の立板１０ｃを前後方向に面するよう基板１０ａに取り付けられている。また、立板１０ｃの左右外側の一端は支持板１０ｂよりも左右外側に突出する突出部１０ｋを形成している。
【００１３】
連結部材１１は梱包時には２に示すようにキャスタ５とレベルボルト６の接地部より下方位置で、かつ図１に示すように左右外側位置を通過する位置に備えている。
図３は梱包用パレットＡに農産物用貯蔵庫Ｂを載置した状態を底面から見た図である。図に示すように、対向する立板１０ｈと基板１０ａとで形成され、上方が開放状態の空間部１０ｇには農産物用貯蔵庫Ｂを梱包用パレットＡに載置したとき左右中間部のレベルボルト６ａが挿入される。また、立板１０ｃの前後方向内側近傍には四隅のレベルボルト６ｂがそれぞれ配置される。そのため、農産物用貯蔵庫Ｂの輸送時等に前後方向に移動しようとしたら立板１０ｃがレベルボルト６ｂを抑えることで農産物用貯蔵庫Ｂの前後移動を阻止し、左右方向に移動しようとしたら立板１０ｈがレベルボルト６ａを抑えることで農産物貯蔵庫Ｂの左右移動を阻止するため、農産物用貯蔵庫Ｂがの載置位置がずれて梱包用パレットＡから外れるのを防止することができる構成としている。
【００１４】
次に梱包された状態の農産物用貯蔵庫Ｂを取り出す方法について説明する。
図７は梱包された状態を示す図である。１４は農産物用貯蔵庫Ｂの側部を覆う平面視コの字型の側部カバー、１３は上部を覆う上部カバーであり、本実施例ではダンボールを使用している。また、図示しないが上部カバー１３、側部カバー１４は紐等で券回して固定している
図６は紐（図示せず）を解いて側部カバー１４と上部カバー１３を取り外した状態を示す図である。１４ａは切欠き部で、梱包時に立板１０ｃの突出部ｋに挿入して側部カバー１４を位置固定するものである。そのため、切欠き部１４ａにより、輸送時等で側部カバー１４がずれるのを防止できるため、側部カバー１４の前後移動で農産物用貯蔵庫Ｂに傷がつくのを防止することができる。また、図示しないが梱包時には側部カバー１４の角部１４ｂと農産物用貯蔵庫Ｂの角部９とを当接しない、すなわち隔離した構成としている。そのため、側部カバー１４の角部１４ｂに異物が衝突した時に農産物用貯蔵庫Ｂの角部９に衝撃が伝わりにくいため、農産物用貯蔵庫Ｂの角部９に傷がつき難くすることができる。
【００１５】
なお、この図６と図７では農産物用貯蔵庫Ｂは省略されている。
図５は側部カバー１４と上部カバー１３を取り外した後、農産物用貯蔵庫Ｂを梱包用パレットＡから取り出す作業を示す図である。
【００１６】
図５の（イ）に示すようにまず、取付ボルト１２を外して連結部材１１を底部支持部材１０から取り外す。そして、図５（ロ）に示すように農産物用貯蔵庫Ｂを少し傾け、底部支持部材１０を引き出すと農産物用貯蔵庫Ｂはキャスタ５が地面Ｕに接地され、梱包の分解は終了される。その後作業者は所望の設置場所まで農産物用貯蔵庫Ｂを移動させ、設置場所でレベルボルト６を降ろして農産物用貯蔵庫Ｂの設置位置を固定する。
【００１７】
次に、本実施例の効果について説明する。
連結部材１１はキャスタ５とレベルボルト６の接地部より下方位置で、かつ左右外側位置を通過する位置に備えているため、連結部材１１を外すときにキャスタ５やレベルボルト６が邪魔することなく、取付ボルト１２を外したらそのまま取り外すことができるため、作業が簡単である。また、連結部材１１を取り外した時、農産物用貯蔵庫Ｂの底部４は底部支持部材１０に載置された状態のままのため、農産物用貯蔵庫Ｂがキャスタ５で動き出すことが無いため、作業が安全である。
【００１８】
底部支持部材１０を取り外すときには農産物用貯蔵庫Ｂの片側を支点として他側を少し持ち上げるだけでキャスタ５やレベルボルト６が邪魔することなく引き出せるため、作業が簡単で、かつ農産物用貯蔵庫Ｂに衝撃を与え難く傷つけ難い。
【００１９】
本実施例の梱包用パレットＡの構成は底部支持部材１０と連結部材１１だけのため従来のパレットと比較しても軽量、かつ簡単な構成にすることができる。
また、梱包解除作業の終了後は底部支持部材１０と連結部材１１に分解されているため、人手で運搬しやすい。また、取付ボルト１２で連結したら再度梱包用パレットＡで再使用できる。
【００２０】
なお、本実施例では農産物用貯蔵庫の例を記載したが、穀物乾燥機や他の電気製品等底にキャスタの付いているものであればいかなるものでも良い。
【図面の簡単な説明】
【００２１】
【図１】農産物用貯蔵庫を梱包用パレットに載置したことを示す正面図
【図２】農産物用貯蔵庫を梱包用パレットに載置したことを示す側面図
【図３】農産物用貯蔵庫を梱包用パレットに載置したことを示す底面図
【図４】梱包用パレットの斜視図
【図５】農産物用貯蔵庫を梱包用パレットから取り出す作業図
【図６】農産物用貯蔵庫を梱包用パレットから取り出す作業図
【図７】農産物用貯蔵庫を梱包した状態を示す図。
【図８】農産物用貯蔵庫を梱包用パレットに載置したことを示す側面図の一部の拡大図
【図９】農産物用貯蔵庫を梱包用パレットに載置したことを示す正面図の一部の拡大図
【符号の説明】
【００２２】
Ａ  梱包用パレット
Ｂ  農産物用貯蔵庫
５  キャスタ
４  貯蔵庫の底部
１０  底部支持部材
１２  取付ボルト
１１  連結部材
６  レベルボルト
１０ｈ  立板
１０ｃ  立板
【図１】
2006273416.tif 000003
【図２】
2006273416.tif 000004
【図３】
2006273416.tif 000005
【図４】
2006273416.tif 000006
【図５】
2006273416.tif 000007
【図６】
2006273416.tif 000008
【図７】
2006273416.tif 000009
【図８】
2006273416.tif 000010
【図９】
2006273416.tif 000011